(57)【特許請求の範囲】
【請求項１】
シートを収容する収容部と、
上記収容部からシートを供給する供給機構と、
上記供給機構により供給されたシートに画像記録を行う記録部と、
上記収容部の上側に配置されており、上記記録部により画像記録されたシートを支持する第１排出トレイと、を具備しており、
上記収容部は、
シートを収容可能な本体と、
上記本体に設けられており、第１姿勢と、当該第１姿勢より上側に位置して、画像記録されたシートを上記第１排出トレイと共に支持する第２姿勢と、に姿勢変化可能な第２排出トレイと、を具備するものであり、
上記第２排出トレイは、上記第２排出トレイに対して回動可能なリンク部材により上記本体に対して姿勢変化可能に連結されたものである画像記録装置。
【請求項２】
上記第１排出トレイは、シートを支持可能な第１支持部を有しており、
上記第２排出トレイは、シートを支持可能な第２支持部を有しており、
上記第２姿勢の上記第２排出トレイにおいて、
上記第２支持部の少なくとも一部が上記第１支持部より排出向きの下流側に位置しており、
上記第２支持部における排出向きの上流端側が上記第１支持部より下側に位置しており、
上記第２支持部における排出向きの下流端側が上記第１支持部よりも上側に位置している請求項１に記載の画像記録装置。
【請求項３】
上記収容部の本体は、基部と、当該基部に対して排出向きに沿ってスライド可能なスライド部と、を具備しており、
上記第２排出トレイは、上記スライド部に設けられたものである請求項１又は２に記載の画像記録装置。
【請求項４】
上記収容部は、装置本体に収容されており、かつ上記第２排出トレイが装置本体の外側に引き出し可能であり、
上記第２排出トレイは、装置本体の外側に引き出された状態において、上記第２姿勢へ姿勢変化可能である請求項１から３のいずれかに記載の画像記録装置。
【請求項５】
上記第１姿勢の上記第２排出トレイは、上記本体の上側に配置されている請求項１から４のいずれかに記載の画像記録装置。
【請求項６】
上記第２排出トレイは、４つの上記リンク部材により上記本体に対して姿勢変化可能であり、
上記４つのリンク部材は、排出向きと直交する幅方向に対をなす２対であり、当該２対のリンク部材は、幅方向において相互に異なる配置である請求項１から５のいずれかに記載の画像記録装置。
【請求項７】
対をなす上記リンク部材を連結する連結部材が設けられたものである請求項６に記載の画像記録装置。
【請求項８】
上記収容部に、上記リンク部材の少なくとも１つと当接して、上記第２排出トレイが第２姿勢となる回動位置に上記リンク部材を保持する当接部が設けられたものである請求項６又は７に記載の画像記録装置。
【請求項９】
上記収容部の上側であって上記第１排出トレイの下側に、シートを収容可能な上側収容部が設けられており、
上記第１排出トレイは、上記上側収容部に設けられたものである請求項１から８のいずれかに記載の画像記録装置。
【請求項１０】
上記本体は、上側に開口を有するものであり、
上記第２排出トレイは、上記第１姿勢において、上記本体の開口の少なくとも一部を閉塞するものである請求項１から９のいずれかに記載の画像記録装置。
【請求項１１】
上記本体は、上側に開口を有するものであり、
上記収容部は、上記本体の開口の少なくとも一部を開閉可能なカバーを有しており、
上記第２排出トレイは、上記カバーに連結されたものである請求項１から９のいずれかに記載の画像記録装置。
【請求項１２】
上記第２排出トレイは、排出向きと直交する幅方向の中央側が両端側より凹んだ形状である請求項１から１１のいずれかに記載の画像記録装置。
【請求項１３】
上記第２排出トレイに回動可能に設けられており、上記第２排出トレイに収容された第１回動姿勢と、上記第２排出トレイから突出する第２回動姿勢に姿勢変化可能な回動部材を有する請求項１から１２のいずれかに記載の画像記録装置。
【請求項１４】
シートを収容する収容部と、
上記収容部の上側に配置されており、シートを収容する上側収容部と、
上記収容部及び上記上側収容部からシートを供給する供給機構と、
上記供給機構により供給されたシートに画像記録を行う記録部と、
上記上側収容部の上側に設けられており、上記記録部により画像記録されたシートを支持する第１排出トレイと、を具備しており、
上記上側収容部は、排出向きへスライド不能であり、
上記収容部は、
シートを収容可能な本体と、
上記本体に対して排出向きへスライド可能なスライド部と、
上記スライド部に設けられており、第１姿勢と、当該第１姿勢より上側に位置して、画像記録されたシートを上記第１排出トレイと共に支持する第２姿勢と、に姿勢変化可能な第２排出トレイと、を具備するものであり、
上記第２排出トレイは、上記第２排出トレイに対して回動可能なリンク部材により上記本体に対して姿勢変化可能に連結されたものである画像記録装置。
【発明の詳細な説明】
【技術分野】
【０００１】
本発明は、収容部から供給されたシートに画像記録を行い、画像記録後のシートがトレイに保持される画像記録装置に関する。
【背景技術】
【０００２】
プリンタなどの画像記録装置は、一般に、記録用紙などのシートを収容する給紙トレイ、給紙トレイから供給されたシートに画像記録を行う記録部、及び画像記録されたシートを保持する排紙トレイを備えている。画像記録装置の小型化に伴って排紙トレイも小型化される傾向にある。しかし、排紙トレイより大きなシートに画像記録がされると、排紙トレイからシートがはみ出し、排紙トレイからシートが脱落するおそれがある。このような問題に対し、排紙トレイの下側に配置されている給紙トレイにストッパが設けられた構成が公知である（特許文献１参照）。排紙トレイからはみ出したシートの先端が、給紙トレイ上に到達し、ストッパに当接することによって、排紙トレイからシートが脱落することが防止される。
【先行技術文献】
【特許文献】
【０００３】
【特許文献１】特開２０１０−２３５２７０号公報
【発明の概要】
【発明が解決しようとする課題】
【０００４】
しかしながら、例えば、ＪＩＳ規格のＡ３用紙など、更に大きなシートに画像記録がされる場合、排紙トレイからストッパまでの距離が短いと、やはりシートの先端がストッパを乗り越えて、排紙トレイからシートが脱落するおそれがある。
【０００５】
本発明は、前述された問題に鑑みてなされたものであり、画像記録装置において、シートを確実に保持する手段を提供することを目的とする。
【課題を解決するための手段】
【０００６】
(1)  本発明に係る画像記録装置は、シートを収容する収容部と、上記収容部からシートを供給する供給機構と、上記供給機構により供給されたシートに画像記録を行う記録部と、上記収容部の上側に配置されており、上記記録部により画像記録されたシートを支持する第１排出トレイと、を具備している。上記収容部は、シートを収容可能な本体と、上記本体に設けられており、第１姿勢と、当該第１姿勢より上側に位置して、画像記録されたシートを上記第１排出トレイと共に支持する第２姿勢と、に姿勢変化可能な第２排出トレイと、を具備する。
【０００７】
供給機構により収容部から供給されたシートは、記録部により画像記録がされて第１排出トレイ上へ排出される。第１排出トレイのみにより支持できる大きさのシートであれば、第２排出トレイは第１姿勢にされる。第１排出トレイのみにより支持することが難しい大きさのシートに画像記録がされるときには、第２排出トレイが第２姿勢にされる。大きなシートは、第１排出トレイ及び第２排出トレイに双方に支持される。
【０００８】
(2)  上記第１排出トレイは、シートを支持可能な第１支持部を有しており、上記第２排出トレイは、シートを支持可能な第２支持部を有しており、上記第２姿勢の上記第２排出トレイにおいて、上記第２支持部の少なくとも一部が上記第１排出部より排出向きの下流側に位置しており、上記第２排出部における排出向きの上流端側が上記第１排出部より下側に位置しており、上記第２排出部における排出向きの下流端側が上記第１排出部よりも上側に位置していてもよい。
【０００９】
第２排出部の上流端側が第１排出部より下側に位置しているので、第１排出部から第２排出部へシートの先端が円滑に移動する。第２排出部の下流端側が第１排出部より上側に位置しているので、シートの先端が第１排出部より下側に垂れ下がらない。これにより、シートの後端が第１排出部から浮き上がることが抑制される。
【００１０】
(3)  上記収容部の本体は、基部と、当該基部に対して排出向きに沿ってスライド可能なスライド部と、を具備しており、上記第２排出トレイは、上記スライド部に設けられたものであってもよい。
【００１１】
大きなシートを収容するためのスライド部のスライドには、第２排出トレイの操作も必要であることが理解しやすい。
【００１２】
(4)  上記収容部は、装置本体に収容されており、かつ上記第２排出トレイが装置本体の外側に引き出し可能であり、上記第２排出トレイは、装置本体の外側に引き出された状態において、上記第２姿勢へ姿勢変化可能であってもよい。
【００１３】
第２排出トレイが装置本体の外側にあるので、第２排出トレイを姿勢変化させるための操作が容易である。
【００１４】
(5)  上記第１姿勢の上記第２排出トレイは、上記本体の上側に配置されていてもよい。
【００１５】
(6)  上記第２排出トレイは、上記第２排出トレイに対して回動可能なリンク部材により上記本体に対して姿勢変化可能に連結されたものであってもよい。
【００１６】
これにより、簡易な構成により第２排出トレイを姿勢変化させることができる。
【００１７】
(7)  上記第２排出トレイは、４つのリンク部材により上記本体に対して姿勢変化可能であり、上記４つのリンク部材は、排出向きと直交する幅方向に対をなす２対であり、当該２対のリンク部材は、幅方向において相互に異なる配置であってもよい。
【００１８】
これにより、第２排出トレイを第１姿勢にしたときに、各リンク部材を相互に干渉させずに排出向きにおいてオーバーラップさせることができる。
【００１９】
(8)  対をなす上記リンク部材を連結する連結部材が設けられたものであってもよい。
【００２０】
これにより、対をなす２つのリンク部材の動作が確実に同調する。
【００２１】
(9)  上記供給部に、上記リンク部材の少なくとも１つと当接して、上記第２排出トレイが第２姿勢となる回動位置に上記リンク部材を保持する当接部が設けられたものであってもよい。
【００２２】
これにより、簡易な構成により、第２排出トレイを第２姿勢に保持することができる。
【００２３】
(10)  上記収容部の上側であって上記第１排出トレイの下側に、シートを収容可能な上側収容部が設けられており、上記第１排出トレイは、上記上側収容部に設けられたものであってもよい。
【００２４】
第２排出トレイが第１姿勢にされることにより、収容部と上側収容部との離間距離を短くできるので、装置の小型化が実現される。
【００２５】
(11)  上記本体は、上側に開口を有するものであり、上記第２排出トレイは、上記第１姿勢において、上記本体の開口の少なくとも一部を閉塞するものであってもよい。
【００２６】
第２排出トレイが、収容部の本体の開口を閉塞するカバーとしても機能するので、装置の部品点数を減らすことができる。
【００２７】
(12)  上記本体は、上側に開口を有するものであり、上記供給部は、上記本体の開口の少なくとも一部を開閉可能なカバーを有しており、上記第２排出トレイは、上記カバーに連結されたものであってもよい。
【００２８】
これにより、第２排出トレイを第２姿勢としても、収容部の本体の開口を閉塞することができる。
【００２９】
(13)  上記第２排出トレイは、排出向きと直交する幅方向の中央側が両端側より凹んだ形状であってもよい。
【００３０】
このような第２排出トレイの形状に沿ってシートが撓むことにより、排出向きに沿った方向のシートの腰が強くなる。
【００３１】
(14)  上記第２排出トレイに回動可能に設けられており、上記第２排出トレイに収容された第１回動姿勢と、上記第２排出トレイから突出する第２回動姿勢に姿勢変化可能な回動部材を有するものであってもよい。
【００３２】
これにより、第２排出トレイを必要以上に大きくすることなくストッパとして機能する回動部材が実現される。
【００３３】
(15)  本発明に係る画像記録装置は、シートを収容する収容部と、上記収容部の上側に配置されており、シートを収容する上側収容部と、上記収容部及び上記上側収容部からシートを供給する供給機構と、上記供給機構により供給されたシートに画像記録を行う記録部と、上記上側収容部の上側に設けられており、上記記録部により画像記録されたシートを支持する第１排出トレイと、を具備する。上記上側収容部は、排出向きへスライド不能であり、上記収容部は、シートを収容可能な本体と、上記本体に対して排出向きへスライド可能なスライド部と、上記スライド部に設けられており、第１姿勢と、当該第１姿勢より上側に位置して、画像記録されたシートを上記第１排出トレイと共に支持する第２姿勢と、に姿勢変化可能な第２排出トレイと、を具備する。
【発明の効果】
【００３４】
本発明によれば、第２排出トレイが第２姿勢にされると、シートが第１排出トレイ及び第２排出トレイに双方に支持されるので、第１排出トレイからシートが脱落することが防止される。
【図面の簡単な説明】
【００３５】
【図１】図１は、本発明の第１実施形態としての複合機１０の外観構成を示すスライドトレイ２８，２９図である。
【図２】図２は、プリンタ部１１の内部構成を示す部分断面図である。
【図３】図３は、第２排出トレイ３２が第１姿勢である状態の第１給紙カセット１５の外観構成を示す斜視図である。
【図４】図４は、第２排出トレイ３２が第２姿勢である状態の第１給紙カセット１５の外観構成を示す斜視図である。
【図５】図５は、第１姿勢の第２排出トレイ３２の下面側の構成を示す斜視図である。
【図６】図６は、第２姿勢の第２排出トレイ３２の下面側の構成を示す斜視図である。
【図７】図７は、第１排出トレイ２４からスライドトレイ２８，２９が引き出された状態の複合機１０の外観構成を示す斜視図である。
【図８】図８は、第２排出トレイ３２が第２姿勢にされた状態の複合機１０の外観構成を示す斜視図である。
【図９】図９は、第１排出トレイ２４及び第２排出トレイ３２がプリンタ部１１に収容された状態の第１給紙カセット１５及び第２給紙カセット１６を示す側面図である。
【図１０】図１０は、第１排出トレイ２４からスライドトレイ２８，２９が引き出された状態の第１給紙カセット１５及び第２給紙カセット１６を示す側面図である。
【図１１】図１１は、第１排出トレイ２４からスライドトレイ２８，２９が引き出され、第２排出トレイ３２が第２姿勢にされた状態の第１給紙カセット１５及び第２給紙カセット１６を示す側面図である。
【図１２】図１２は、本発明の第２実施形態としての第１給紙カセット７０の外観構成を示す斜視図である。
【図１３】図１３は、第１姿勢の第２排出トレイ７２を示す斜視図である。
【図１４】図１４は、第２姿勢の第２排出トレイ７２を示す斜視図である。
【図１５】図１５は、第２排出トレイ７２が第２姿勢である状態の第１給紙カセット７０の外観構成を示す斜視図である。
【図１６】図１５は、カバー７３が開かれた状態の第１給紙カセット７０の外観構成を示す斜視図である。
【図１７】図１７は、第２排出トレイ７２が第２姿勢にされた状態の複合機１０の外観構成を示す斜視図である。
【図１８】図１８は、第１排出トレイ２４からスライドトレイ２８，２９が引き出され、第２排出トレイ７２が第２姿勢にされた状態の第１給紙カセット７０及び第２給紙カセット１６を示す側面図である。
【図１９】図１９は、本発明の第３実施形態としての第１給紙カセット１１０の外観構成を示す斜視図である。
【図２０】図２０は、第１姿勢の第２排出トレイ１１２を示す斜視図である。
【図２１】図２１は、本体１１１に対して開かれた状態の第２排出トレイ１１２を示す斜視図である。
【図２２】図２２は、第２姿勢の第２排出トレイ１１２を示す斜視図である。
【図２３】図２３は、本体１１１に対して第２排出トレイ１１２が開かれた状態の第１給紙カセット１１０の外観構成を示す斜視図である。
【図２４】図２４は、第２排出トレイ１１２が第２姿勢である状態の第１給紙カセット１１０の外観構成を示す斜視図である。
【図２５】図２５は、第２排出トレイ１１２が第２姿勢にされた状態の複合機１０の外観構成を示す斜視図である。
【図２６】図２６は、第１排出トレイ２４からスライドトレイ２８，２９が引き出され、第２排出トレイ１１２が第２姿勢にされた状態の第１給紙カセット１１０及び第２給紙カセット１６を示す側面図である。
【図２７】図２７は、第１排出トレイ２４からスライドトレイ２８，２９が引き出され、第２排出トレイ３２が第２姿勢にされた状態の第１給紙カセット１５を示す側面図である。
【発明を実施するための形態】
【００３６】
以下、適宜図面を参照して本発明の実施形態について説明する。なお、以下に説明される実施形態は本発明が具体化された一例にすぎず、本発明の要旨を変更しない範囲で実施形態を適宜変更できることは言うまでもない。
【００３７】
［第１実施形態］
［複合機１０の概略構成］
本実施形態の複合機１０は、プリンタ機能の他、スキャナ機能、カラーコピー機能、ファクシミリ機能等を有するものである。図１に示されるように、複合機１０は、左右方向１０２が前後方向１０３より大きな幅広薄型の概ね直方体形状の外形である。複合機１０において、下側がプリンタ部１１として構成されており、上側がスキャナ部１２として構成されている。また、プリンタ部１１における正面側には、入力操作用の各種操作ボタンや、メッセージ等の画像を表示する表示部（例えば液晶ディスプレイ）などが設けられた操作パネル１３が設けられている。
【００３８】
なお、本発明に係る画像記録装置において、プリンタ機能以外の機能は任意であり、例えば、スキャナ部１２がなく、スキャン機能やコピー機能、ファクシミリ機能を有しない単機能のプリンタとして本発明にかかる画像記録装置が実施されてもよい。したがって、スキャナ部１２は、いわゆるフラットベッドスキャナとして構成されているが、ここでは詳細な説明が省略される。
【００３９】
プリンタ部１１における正面側であて、操作パネル１３の下側には矩形の開口１４が設けられている。開口１４を通じてプリンタ部１１の内部空間へアクセス可能である。プリンタ部１１の内部空間には、第１給紙カセット１５及び第２給紙カセット１６が、第１給紙カセット１５を下側として上下二段に配置されている。第１給紙カセット１５及び第２給紙カセット１６は、開口１４を通じて外側へ一部が露出されている。第１給紙カセット１５及び第２給紙カセット１６は、プリンタ部１１の内部空間に収容されており、その正面が、プリンタ部１１の正面とほぼ同一面上に位置している。第１給紙カセット１５及び第２給紙カセット１６は、プリンタ部１１の内部空間に収容された状態から前側へ、つまりプリンタ部１１の正面より外側へそれぞれ引き出されて、複合機１０から取り外すことができる。つまり、第１給紙カセット１５及び第２給紙カセット１６は、複合機１０に対して着脱可能である。なお、第１給紙カセット１５及び第２給紙カセット１６は、複合機１０に対して取り外すことができず、前側へ引き出すことのみができるものであってもよい。
【００４０】
第１給紙カセット１５及び第２給紙カセット１６は、その内部空間に、記録用紙やプラスチックシート等のシートを、左右方向１０２及び前後方向１０３に沿わせた姿勢で複数枚が積載されて収容される。第１給紙カセット１５が、収容部に相当し、第２給紙カセット１６が、上側収容部に相当する。
【００４１】
図２に示されるように、第１給紙カセット１５の上側には、第１給紙ローラ１７が設けられている。第２給紙カセット１６の上側には、第２給紙ローラ１８が設けられている。第１給紙ローラ１７及び第２給紙ローラ１８は、それぞれ第１給紙カセット１５又は第２給紙カセット１６に収容されたシートを搬送路１９へ給送するためのものであり、不図示のモータから駆動伝達されて、積層された複数枚のシートのうち最上位置のシートに当接して回転することにより、そのシートを搬送路１９へ給送する。なお、同図には示されていないが、第１給紙ローラ１７及び第２給紙ローラ１８は、それぞれ振り子のように回動可能に支持されたアームの先端側に設けられており、アームの回動によって、第１給紙カセット１５又は第２給紙カセット１６に対して接離する回動向きへ移動可能である。第１給紙ローラ１７及び第２給紙ローラ１８が供給機構に相当する。
【００４２】
搬送路１９は、第１給紙カセット１５の後側（図２における右側）から上方へ延出されて、プリンタ部１１の前側（図２における左側）へ反転するようにＵ字形状に湾曲している。第１給紙カセット１５又は第２給紙カセット１６から給送されたシートは、搬送路１９に沿って上側へ反転されて、プリンタ部１１の後側から前側へ案内される。搬送路１９には、複数の搬送ローラ対２０が設けられている。各搬送ローラ対２０の一方側のローラは、不図示のモータから駆動伝達されて回転する。各搬送ローラ対２０は、搬送路１９を通過するシートを挟み込んで回転することにより、プリンタ部１１の後側から前側へシートを搬送する。
【００４３】
搬送路１９において、プリンタ部１１の後側から前側へ延びるほぼ直線的な部分には、記録部２１が設けられている。記録部２１は、搬送路１９を搬送されるシートに画像を記録するものである。記録部２１は、例えば、インクジェット方式や電子写真方式、感熱記録方式などの公知の記録方式によりシートに画像を記録するものである。例えば、インクジェット方式の記録部２１では、搬送路１９の上側に記録ヘッド２２が配置され、搬送路１９の下側にプラテン２３が配置されており、プラテン２３に支持されたシートに対して、記録ヘッド２２が左右方向１０２（図２における紙面と垂直な方向）に移動しながら、インク滴を選択的にプラテン２３側へ吐出し、そのインク滴がシートに付着することによって、シートに画像が記録される。
【００４４】
搬送路１９の終端には、第１排出トレイ２４が設けられている。記録部２１により画像記録がされたシートは、搬送ローラ対２０に搬送されて搬送路１９から排出される。排出されたシートは、第１排出トレイ２４の上側に支持される。第１排出トレイ２４は、第２給紙カセット１６の上側部分として構成されている。
【００４５】
［第１給紙カセット１５］
図３，４に示されるように、第１給紙カセット１５は、シートを収容可能な本体３１と、本体３１に設けられた第２排出トレイ３２と、を有する。
【００４６】
本体３１は、上方から見て概ねＡ４サイズの大きさと、概ねＡ３サイズの大きさとに対応するようにスライドして変形可能な長方形薄皿状の樹脂製部品である。すなわち、本体３１は、Ａ４サイズの短辺を前後方向１０３に沿って配置可能な大きさと、スライドされることによって、Ａ３サイズの長辺を前後方向１０３に沿って配置可能な大きさとに変形可能である。本体３１は、プリンタ部１１の後側に位置する基部３３と、プリンタ部１１の前側に順次位置する第１スライド部３４及び第２スライド部３５と、基部３３に設けられて左右方向１０２へ移動可能なサイドガイド３６と、を有する。図３，４においては、Ａ３サイズの大きさにされた第１給紙カセット１５が示されている。
【００４７】
基部３３は、底板３７と、底板３７の左右方向１０２の両端から上方へ起立した側壁３８と、プリンタ部１１の後側となる底板３７の給送向き１０４前端から斜め上方へ起立した傾斜板３９と、を有する。傾斜板３９は、左右方向１０２の中央が切り欠かれており、その切り欠きの両側となる縁に、波板形状の用紙ストッパ部４０が給送向き１０４に沿って設けられている。用紙ストッパ部４０は、本体３１にシートが収容されるときに、シートの先端に当接して、シートが傾斜板３９を越えて本体３１の外側へ飛び出ることを防止するものである。各図には現れていないが、プリンタ部１１の前後方向１０３の後ろ側には、装置側傾斜板が設けられている。第１給紙カセット１５が複合機１１に装着されると、用紙ストッパ部４０は、装置側傾斜板に形成された挿通孔を通過して、装置側傾斜板の後側に位置する。これにより、本体３１に収容されたシートの先端は、装置側傾斜板に当接可能となる。シートが底板３７に載置されたシートが給送向き１０４へ給送されると、シートの先端が傾斜板３９及び装置側傾斜板に当接して斜め上方へ案内される。その案内過程において、シートの先端が装置側傾斜板に設けられた分離片に当接しながら移動する。これにより、仮に複数枚のシートが重なった状態で給送されても、分離片によって重なったシートの先端が捌かれて、最上位の１枚のシートのみが搬送路１９へ給送される。
【００４８】
底板３７において左右方向１０２に離れて設けられた一対のサイドガイド３６は、底板３７に対して左右方向１０２に沿って移動可能である。各図には現れていないが、一対のサイドガイド３６は、底板３７の下側において連動するように構成されており、一方のサイドガイド３６を左右方向１０２の中央側へ移動させると、他方のサイドガイド３６も連動して左右方向１０２の中央側へ移動する。これにより、一対のサイドガイド３６は、底板３７の左右方向１０２の中央に対して対称に位置される。底板３７に載置された複数枚のシートの幅に合わせて一対のサイドガイド３６が移動されることにより、複数枚のシートの束の両端がサイドガイド３６によって支持され、シートの中央が底板３７の中央に合致する。
【００４９】
第１スライド部３４は、本体３１の底板３７及び側壁３８を外側から覆うようにして、一部が重複して本体３１の前側に連結されている。第１スライド部３４は、底板４１と、底板４１の左右方向１０２の両側から上方へ起立した側壁４２と、を有する。底板４１は、本体３１の底板３７の下側においてレールなどの周知の構造により連結されて、底板３７に対して前後方向１０３へスライド可能である。側壁４２は前後方向１０２へ延びる長孔４４が設けられており、その長孔４４に、側壁３８から左右方向１０２の外側へ突出されたＬ字形状の突片４３が係合することによって、突片４３が長孔４４に案内されながら前後方向１０３へ移動可能となっている。これにより、側壁４２も、本体３１の側壁３８に対して前後方向１０３へスライド可能である。
【００５０】
第２スライド部３５は、第１スライド部３４の底板４１及び側壁４２を外側から覆うようにして、一部が重複して第１スライド部３４の前側に連結されている。第２スライド部３５は、底板４５と、底板４５の左右方向１０２の両側から上方へ起立した側壁４６と、底板４５の給送向き１０４後端（プリンタ部１１の前側）から上方へ起立する正面壁４７と、を有する。底板４５は、第１スライド部３４の底板４１の下側においてレールなどの周知の構造により連結されて、底板４１に対して前後方向１０３へスライド可能である。側壁４６には、左右方向１０２の内側へ突出されたＬ字形状の突片４８が設けられており、その突片４８が、第１スライド部３４の側壁４２の上端と係合することによって、突片４８が側壁４２の上端に案内されながら前後方向１０３へ移動可能となっている。これにより、側壁４７も、第１スライド部３４の側壁４２に対して前後方向１０３へスライド可能である。
【００５１】
基部３３，第１スライド部３４及び第２スライド部３５により構成された本体３１は、上側が開口した箱形状である。本体３３の開口の正面壁４７側を封止するようにして、第２スライド部３５に第２排出トレイ３２が連結されている。
【００５２】
図３〜６に示されるように、第２排出トレイ３２は、シートを支持するためのトレイ本体４９と、トレイ本体４９に設けられたサブトレイ５０と、２対のリンク部材５１，５２と、２対のリンク部材５１，５２を一対毎に連結する連結部材５３，５４と、を有する。トレイ本体４９及びサブトレイ５０が第２支持部に相当する。サブトレイ５０が、回動部材に相当する。
【００５３】
トレイ本体４９は、左右方向１０２に一対が設けられた側板５５と、一対の側板５５を連結する中板５６と、を有する。側板５５は、本体３３の傾斜板３９側が低く、正面壁４７側が高い、前後方向１０３に沿って２段形状をなしており、低い側と高い側とが傾斜面によって連続する形状である。中板５６は、一対の側板５５における高い側及び傾斜面において、一対の側板５５を連結するように配置されており、低い側においては存在しない。中板５６の上面は、一対の側板５５の上面に対して下側へ低くなるように段差を形成している。したがって、中板５６の上面に相当する部分は、一対の側板５５の上面に対して下側へ凹んでいる。
【００５４】
サブトレイ５０は、トレイ本体４９における中板５６の上側を覆うように設けられている。サブトレイ５０は、全体として平板であり、トレイ本体４９の一対の側板５５の高い側及び傾斜面と同じ形状となるように折れ曲がっている。サブトレイ５０の左右方向１０２の両端から外側へ一対の軸５７が突出されている。一対の軸５７が、トレイ本体４９において本体３３の正面壁４７側となる位置であって、一対の側板５５と中板５６との段差部分に形成された孔５８に挿通されることによって、トレイ本体４９にサブトレイ５０が回動可能に連結されている。サブトレイ５０は、トレイ本体４９の中板５６の上側を覆う第１回動位置（図３，５参照）と、トレイ本体４９から斜め上方へ延びる第２回動位置（図４，６）とに回動可能である、サブトレイ５０は、トレイ本体４９の上側に載置されることによって第１回動位置に保持され、トレイ本体４９の中板５６と当接することによって第２回動位置に保持される。
【００５５】
二対のリンク部材５１，５２は、トレイ本体４９の下面側において、回動自在に連結されている。トレイ本体４９の下面側には、リンク部材５１，５２を収容可能な凹部が形成されている。一対のリンク部材５１は、左右方向１０２に離されて配置されており、一対のリンク部材５２よりも左右方向１０２の外側にそれぞれが配置されている。一対のリンク部材５１は、それぞれがアーム形状の長尺部材であり、その両端に軸５９，６０がそれぞれ設けられている。一方の軸５９がトレイ本体４９に回動自在に連結されており、他方の軸６０が本体３１の第２スライド部３５の側壁４６に回動自在に連結されている。一対のリンク部材５１は、アーム形状の中央部分において左右方向１０２に沿って延びる連結部材５３により連結されている。
【００５６】
一対のリンク部材５２は、左右方向１０２に離されて配置されており、一対のリンク部材５１よりも左右方向１０２の内側にそれぞれが配置されている。一対のリンク部材５２は、それぞれがアーム形状の長尺部材であり、その両端に軸６１，６２がそれぞれ設けられている。一方の軸６１がトレイ本体４９に回動自在に連結されており、他方の軸６２が本体３１の第２スライド部３５の正面壁４７に回動自在に連結されている。一対のリンク部材５２は、アーム形状の中央部分において左右方向１０２に沿って延びる連結部材５４により連結されている。
【００５７】
図５に示されるように、二対のリンク部材５１，５２は、それぞれがトレイ本体４９に対して倒伏するが、二対のリンク部材５１，５２は、倒伏状態において連結部材５３，５４が当接することがないように前後方向１０３へ離間されている。一対のリンク部材５１の軸５９は、一対のリンク部材５２の軸６１よりも前後方向１０３の後側にそれぞれ配置されている。一対のリンク部材５１の軸６０は、一対のリンク部材５２の軸６２よりも前後方向１０３の後側に配置されている。二対のリンク部材５１，５２がそれぞれトレイ本体４９に対して倒伏した状態において、一対のリンク部材５１の一部が、一対のリンク部材５２よりも前後方向１０３の後側に配置されている。
【００５８】
図３，４に示されるように、第２排出トレイ３２は、二対のリンク部材５１，５２の回動によって、本体３１の開口のうち正面壁４７側を封止する第１姿勢と、本体３１の開口から離れて第１姿勢よりも上側に位置する第２姿勢と、に姿勢変化する。第２排出トレイ３２のトレイ本体４９が、本体３１の第２スライド部３５の側壁４６及び正面壁４７の上端に支持されることによって、第２排出トレイ３２が第１姿勢に保持される。二対のリンク部材５１，５２のうち、前後方向１０３の前側のリンク部材５２が第２スライド部３５の正面壁４７の上端部に当接することにより、第２排出トレイ３２が第２姿勢に保持される。正面壁４７の上端部が、当接部に相当する。
【００５９】
［第２給紙カセット１６］
図１，９に示されるように、第２給紙カセット１６は、上側が開口した箱形状の本体２５を有している。本体２５は、Ａ４サイズの用紙が、短辺を前後方向１０３に沿わせ、長辺を左右方向１０２に沿わせて配置可能な大きさである。第１排出トレイ２４は、本体２５において後側（図９における左側）の開口を封止するように配置されている。第１排出トレイ２４は、本体２５に一対のリンク部材２６により連結されている。リンク部材２６は、第１排出トレイ２４及び本体２５に対して回動自在である。第１排出トレイ２４は、リンク部材２６の回動を伴いながら、本体２５に対して回動可能である。第１排出トレイ２４が、本体２５に対して上側へ回動されることにより、本体２５の開口が開かれ、その開口から本体２５へシートを装填することができる。第１排出トレイ２４のうち、シートを支持する上面が、第１支持部に相当する。
【００６０】
図７，１０に示されるように、第１排出トレイ２４には、プリンタ部１１の前側へ延びるスライドトレイ２８，２９が設けられている。スライドトレイ２８は、平板形状であり、平板形状のトレイ本体２７の下面側にスライド可能に連結されている。スライドトレイ２９は、平板形状であり、スライドトレイ２８の下面側にスライド可能に連結されている。スライドトレイ２９は、スライドトレイ２８よりも左右方向１０２において小さいものであり、スライドトレイ２８の左右方向１０２の中央に配置されている。
【００６１】
スライドトレイ２９の前端には、ストッパ３０が設けられている。ストッパ３０は、スライドトレイ２９の上面を覆う収容位置と、スライドトレイ２９から斜め上方へ突出する突出位置とに回動自在である。トレイ本体２７の前後方向１０３に沿った長さは、Ａ４サイズの短辺の長さ（２１０ｍｍ）よりも短く、スライドトレイ２８，２９をトレイ本体２７に収容した状態において、Ｌ版サイズ（長辺が１２７ｍｍ）やはがきサイズ（長辺が１４８ｍｍ）のシートが支持可能な大きさである。スライドトレイ２８，２９がトレイ本体２７から引き出された状態では、第１排出トレイ２４の前後方向１０３に沿った長さは、Ａ４サイズの短辺より若干長い程度である。したがって、スライドトレイ２８，２９が引き出されることにより、第１排出トレイ２４はＡ４サイズのシートを支持可能である。
【００６２】
［プリンタ部１１の使用方法］
図１，９に示されるように、第１給紙カセット１５にＡ３サイズのシートが装填されていないときは、第１給紙カセット１５は、前後方向１０３へ最も短くなるように、本体３１の基部３３に対して第１スライド部３４及び第２スライド部３５が後側（傾斜板３９側）へ押し込まれるようにスライドされて、前後方向１０３の寸法が収縮されている。また、第２排出トレイ３２は、本体３１の開口の一部を封止する第１姿勢にある。この状態において、第１給紙カセット１５の正面壁４７は、プリンタ部１１の正面と同一面をなしており、第１給紙カセット１５がプリンタ部１１の内部空間に完全に収容されている。また、第１排出トレイ２４のスライドトレイ２８，２９がトレイ本体２７の下面側に収容された状態とされることにより、第２給紙カセット１６も、プリンタ部１１の内部空間に完全に収容された状態となる。このような状態において、Ａ４サイズより小さいサイズのシートが、長辺側を前後方向１０３に沿わせて、第１給紙カセット１５及び第２給紙カセット１６にそれぞれ収容可能である。例えば、第１給紙カセット１５又は第２給紙カセット１６にＬ版サイズやはがきサイズのシートが収容されており、そのシートに画像記録を行う場合には、図１，９に示される状態で画像記録が行われる。
【００６３】
例えば、第１給紙カセット１５又は第２給紙カセット１６に収容されたＡ４サイズのシートに画像記録を行う場合には、図７，１０に示されるように、第１排出トレイ２４のスライドトレイ２８，２９が引き出され、更にストッパ３０が突出位置にされる。これにより、画像記録されたＡ４サイズのシート（図７における２点鎖線の外形）が第１排出トレイ２４に支持される。なお、図７，１０においては、第１給紙カセット１５が伸長されて正面壁４７側がプリンタ部１１の内部空間から外側へ突出しているが、図１，９に示されるように、第１給紙カセット１５がプリンタ部１１の内部空間に完全に収容されており、第１排出トレイ２４のみがプリンタ部１１の内部空間から突出された状態であっても、Ａ４サイズのシートに画像記録を行えることは言うまでもない。
【００６４】
Ａ３サイズのシートに画像記録を行う場合には、図８，１１に示されるように、第１排出トレイ２４においてスライドトレイ２８，２９が引き出される。なお、ストッパ３０は収容位置とされる。また、第１給紙カセット１５の本体３１において、基部３３に対して第１スライド部３４及び第２スライド部３５が引き出されて、本体３１の前後方向１０３に沿った長さがＡ３サイズの長辺の長さに対応される。これにより、本体３１にＡ３サイズのシートが収容可能となる。また、第１給紙カセット１５の第２スライド部３５側が、プリンタ部１１の内部空間から外側へ引き出される。第２スライド部３５のスライドに伴って、第２排出トレイ３２もプリンタ部１１の内部空間から外側へ引き出される。これにより、第２排出トレイ３２の上側に第２給紙カセット１６などが存在しなくなり、第２排出トレイ３２が上側へ回動可能となる。つまり、第２排出トレイ３２を第１姿勢から第２姿勢へ回動可能となる。
【００６５】
第２排出トレイ３２が第２姿勢にされると、トレイ本体４９の一部が、第１排出トレイ２４のスライドトレイ２８，２９よりも排出向き１０５の下流側に位置する。詳細には、トレイ本体４９の一対の側板５５のうち、上側部分（排出向き１０５の下流端側）及び傾斜面が、スライドトレイ２８，２９より排出向き１０５の下流側となり、一対の側板５５のうち下側部分（排出向き１０５の上流端側）がスライドトレイ２８，２９の下側に位置する。
【００６６】
さらに、第２姿勢の第２排出トレイ３２において、サブトレイ５０が収容位置から突出位置へ回動される。突出位置のサブトレイ５０の排出向き１０５の下流端は、スライドトレイ２８，２９よりも上側に位置する。
【００６７】
第１給紙ローラ１７により第１給紙カセット１５から搬送路１９に給送されたＡ３サイズのシートは、記録部２１において画像記録がされて第１排出トレイ２４上へ排出される。トレイ本体２７からスライドトレイ２８，２９が引き出された第１排出トレイ２４の前後方向１０３に沿った長さは、Ａ４サイズの長辺より若干長い程度なので、Ａ３サイズのシートの排出向き１０５の先端側は、第１排出トレイ２４を通過する。
【００６８】
第１排出トレイ２４を通過したシートの先端は、第２排出トレイ３２のトレイ本体２４に到達する。トレイ本体２４の排出向き１０５の上流端側はスライドトレイ２８の下側に位置しているので、シートの先端は、第１排出トレイ２４からトレイ本体４９へ円滑に移動する。
【００６９】
また、トレイ本体４９においては、一対の側板５５の上面より中板５６の上面が凹んでいるので、シートの先端は、これらの上面の形状に沿って、中央側が低く両端側が高くなるように湾曲しながらトレイ本体４９の上面を移動する。
【００７０】
そして、シートの先端は、トレイ本体４９からサブトレイ５０へ移動する。第１排出トレイ２４の排出向き１０５の上流端から第２排出トレイ３２のサブトレイ５０の排出向き１０５の下流端までの長さは、Ａ３サイズの長辺よりも長いので、Ａ３サイズのシートは、第１排出トレイ２４及び第２排出トレイ３２の双方に支持された状態となる。また、サブトレイ５０は、一対の側板５５の形状に沿って折れ曲がっており、排出向き１０５の下流端側が上流端側より更に上方へ向かっているので、サブトレイ５０の下流端側が、シートの脱落を防止するストッパとしても機能する。
【００７１】
［本実施形態の作用効果］
前述されたように、本実施形態によれば、第２排出トレイ３２が第２姿勢にされると、Ａ３サイズのシートが第１排出トレイ２４及び第２排出トレイ３２に双方に支持されるので、第１排出トレイ２４からシートが脱落することが防止される。
【００７２】
また、第２排出トレイ３２のトレイ本体４９の排出向き１０５の上流端側が第１排出トレイ２４のスライドトレイ２８，２９よりも下側に位置しているので、第１排出トレイ２４から第２排出トレイ３２へシートの先端が円滑に移動する。
【００７３】
また、第２排出トレイ３２のサブトレイ５０の排出向き１０５の下流端側が第１排出トレイ２４より上側に位置しているので、シートの排出向き１０５の先端が第１排出トレイ２４より下側に垂れ下がらない。これにより、シートの排出向き１０５の後端が第１排出トレイ２４のトレイ本体２７から浮き上がることが抑制されるので、その後に排出されるシートが、先のシートの下に潜り込んだり、先のシートに当接して紙詰まりを起こしたりすることが防止される。
【００７４】
また、第１給紙カセット１５の第２スライド部３５に第２排出トレイ３２が連結されているので、Ａ３サイズのシートを収容するための第２スライド部３５のスライドに伴って、第２排出トレイ３２の操作も必要であることがユーザに理解しやすい。
【００７５】
また、第２排出トレイ３２がプリンタ部１１の内部空間の外側にあるときに、第２排出トレイ３２が操作可能なので、第２排出トレイ３２を第１姿勢から第２姿勢へ姿勢変化させるための操作が容易である。
【００７６】
また、第２排出トレイ３２が二対のリンク部材５１，５２によって第１給紙カセット１５の第２スライド部３５に連結されているので、簡易な構成により第２排出トレイ３２を姿勢変化可能である。
【００７７】
また、二対のリンク部材５１，５２は、トレイ本体４９の左右方向１０２において異なる配置なので、第２排出トレイ３２を第１姿勢にしたときに、二対のリンク部材５１，５２を相互に干渉させずに排出向き１０５においてオーバーラップさせることができる。
【００７８】
また、対をなす各リンク部材５１，５２が連結部材５３，５４によりそれぞれ連結されているので、対をなす２つのリンク部材５１，５２の動作が確実に同調する。
【００７９】
また、リンク部材５２が第１給紙カセット１５の正面壁４７の上端部に当接することにより、第２排出トレイ３２が第２姿勢に保持されるので、簡易な構成により、第２排出トレイ３２を第２姿勢に保持することができる。
【００８０】
また、第１給紙カセット１５の上側に第２給紙カセット１６が配置されているので、第２排出トレイ３２が第１姿勢にされることにより、第１給紙カセット１５と第２給紙カセット１６との離間距離を短くできるので、プリンタ部１１の小型化が実現される。
【００８１】
また、第２排出トレイ３２が、第１給紙カセット１５の本体３１の開口を閉塞するカバーとしても機能するので、プリンタ部１１の部品点数を減らすことができる。
【００８２】
また、トレイ本体４９においては、一対の側板５５の上面より中板５６の上面が凹んでいるので、このようなトレイ本体４９の形状に沿ってシートが撓むことにより、排出向き１０５に沿った方向のシートの腰が強くなる。
【００８３】
また、第２排出トレイ３２のトレイ本体４９にサブトレイ５０が回動可能に設けられているので、第２排出トレイ３２を必要以上に大きくすることなくサブトレイ５０をストッパとして機能させることができる。
【００８４】
［第２実施形態］
以下、本発明の第２実施形態が説明される。第２実施形態は、第１実施形態の第２排出トレイ３２の構成が異なるのみであり、その他の構成は第１実施形態と同様なので、ここでは、第１実施形態と異なる構成が詳細に説明される。
【００８５】
図１２に示されるように、第１給紙カセット７０は、シートを収容可能な本体７１と、本体７１に設けられた第２排出トレイ７２と、カバー７３と、を有する。
【００８６】
本体７１は、第１実施形態の本体３１と同様に、基部７４、第１スライド部７５及び第２スライド部７６を有しており、上方から見て概ねＡ４サイズの大きさと、概ねＡ３サイズの大きさとに対応するようにスライドして変形可能な長方形薄皿状の樹脂製部品である。すなわち、本体７１は、Ａ４サイズの短辺を前後方向１０３に沿って配置可能な大きさと、スライドされることによって、Ａ３サイズの長辺を前後方向１０３に沿って配置可能な大きさとに変形可能である。これらの詳細な構造の説明は省略される。本体７１は、上側が開口した箱形状であり、本体７１の開口の正面壁７７側を封止するようにしてカバー７３が設けられている。カバー７３は、左右方向１０２に沿った幅が本体７１の幅と同等であり、本体７１の側壁に載置されている。
【００８７】
図１３，１４に示されるように、第２排出トレイ７２は、シートを支持するためのトレイ本体７８と、トレイ本体７８に設けられたサブトレイ７９と、２対のリンク部材８０，８１と、２対のリンク部材８０，８１を一対毎に連結する連結部材８２，８３と、サブトレイ７９に設けられた拡張トレイ８７と、を有する。トレイ本体７８、サブトレイ７９及び拡張トレイ８７が第２支持部に相当する。サブトレイ７９及び拡張トレイ８７が、回動部材に相当する。
【００８８】
トレイ本体７８は、左右方向１０２に一対が設けられた側板８４と、一対の側板８４を連結する中板８５と、を有する。側板８４は、本体７１の傾斜板８６側が低く、正面壁７７側が高い、前後方向１０３に沿って２段形状をなしており、低い側と高い側とが傾斜面によって連続する形状である。中板８５は、一対の側板８４における高い側及び傾斜面において、一対の側板８４を連結するように配置されており、低い側においては存在しない。中板８５の上面は、一対の側板８４の上面に対して下側へ低くなるように段差を形成している。したがって、中板８５の上面に相当する部分は、一対の側板８４の上面に対して下側へ凹んでいる。
【００８９】
サブトレイ７９は、トレイ本体７８における中板８５の上側を覆うように設けられている。サブトレイ７９は、全体として平板である。各図には現れていないが、サブトレイ７９の左右方向１０２の両端から外側へ一対の軸が突出されており、この一対の軸が、トレイ本体７８において本体７１の正面壁７７側となる位置であって、一対の側板８４と中板８５との段差部分に形成された孔に挿通されることによって、トレイ本体７８にサブトレイ７９が回動可能に連結されている。サブトレイ７９は、トレイ本体７８の中板８５の上側を覆う第１回動位置（図１２，１３参照）と、トレイ本体７８から斜め上方へ延びる第２回動位置（図１４，１５）とに回動可能である、サブトレイ７９は、トレイ本体７８の上側に載置されることによって第１回動位置に保持され、トレイ本体７８の中板８４と当接することによって第２回動位置に保持される。
【００９０】
第１回動位置のサブトレイ７９の上側に、拡張トレイ８７が設けられている。拡張トレイ８７は、第２回動位置のサブトレイ７９から更に斜め上方へ突出するように、サブトレイ７９に対してスライド可能である。拡張トレイ８７は、サブトレイ７９から突出された姿勢に置いて、サブトレイ７９の上面に沿って延びており、その突出端側が、さらに斜め上方へ向かって折れ曲がっている。この折れ曲がった突出端側が、拡張トレイ８７がサブトレイ７９に収容されて、サブトレイ７９が第１回動位置となると、トレイ本体７８の一対の側板８４の高い側及び傾斜面と同じ形状となる。
【００９１】
二対のリンク部材８０，８１は、トレイ本体７８の両側において、回動自在に連結されている。対をなす各リンク部材８０，８１は、左右方向１０２に離されて配置されており、一対のリンク部材８０が一対のリンク部材８１よりも前後方向１０３の後側に配置されている。また、一対のリンク部材８１は、一対のリンク部材８０よりも、左右方向１０２の内側に配置されている。各リンク部材８０，８１は、それぞれがアーム形状の長尺部材である。リンク部材８０の両端には、軸８８，８９が設けられている。一方の軸８８がトレイ本体７８に回動自在に連結されており、他方の軸８９がカバー７３に回動自在に連結されている。一対のリンク部材８０は、アーム形状の中央部分において左右方向１０２に沿って延びる連結部材８２により連結されている。
【００９２】
リンク部材８１の両端には、軸９０，９１が設けられている。一方の軸９０がトレイ本体７８に回動自在に連結されており、他方の軸９１が本体７１の側壁に回動自在に連結されている。一対のリンク部材８１は、アーム形状の中央部分において左右方向１０２に沿って延びる連結部材８３により連結されている。
【００９３】
図１３に示されるように、二対のリンク部材８０，８１は、それぞれがトレイ本体７８に対して倒伏するが、二対のリンク部材８０，８１は、倒伏状態において連結部材８２，８３が当接することがないように前後方向１０３へ離間されている。
【００９４】
図１４，１５に示されるように、第２排出トレイ７２は、二対のリンク部材８０，８１の回動によって、カバー７３の上側に載置される第１姿勢と、カバー７３から離れて第１姿勢よりも上側に位置する第２姿勢と、に姿勢変化する。第２排出トレイ７２のトレイ本体７８が、カバー７３に支持されることによって、第２排出トレイ７２が第１姿勢に保持される。二対のリンク部材８０，８１のうち、前後方向１０３の前側のリンク部材８１が本体７１の正面壁７７の上端部に当接することにより、第２排出トレイ７２が第２姿勢に保持される。正面壁７７の上端部が、当接部に相当する。
【００９５】
図１６に示されるように、第２排出トレイ７２が第１姿勢である状態において、カバー７３は、軸９１周りに第２排出トレイ７２と共に回動可能である。カバー７３が本体７１から離れる上側へ回動されることによって、本体７１の開口が開放されて、本体７１にシートを装填することができる。
【００９６】
第１実施形態と同様に、Ａ３サイズのシートに画像記録を行う場合には、図１７，１８に示されるように、第１排出トレイ２４においてスライドトレイ２８，２９が引き出される。なお、ストッパ３０は収容位置とされる。また、第１給紙カセット７０の本体７１において、基部７４に対して第１スライド部７５及び第２スライド部７６が引き出されて、本体７１の前後方向１０３に沿った長さがＡ３サイズの長辺の長さに対応される。これにより、本体７１にＡ３サイズのシートが収容可能となる。また、第１給紙カセット７０の第２スライド部７６側が、プリンタ部１１の内部空間から外側へ引き出される。第２スライド部７６のスライドに伴って、第２排出トレイ７２もプリンタ部１１の内部空間から外側へ引き出される。これにより、第２排出トレイ７２の上側に第２給紙カセット１６などが存在しなくなり、第２排出トレイ７２が上側へ回動可能となる。つまり、第２排出トレイ７２を第１姿勢から第２姿勢へ回動可能となる。
【００９７】
第２排出トレイ７２が第２姿勢にされると、拡張トレイ８７の一部が、第１排出トレイ２４のスライドトレイ２８よりも排出向き１０５の下流側に位置する。詳細には、トレイ本体７８の一対の側板８４のうち、上側部分（排出向き１０５の下流端側）及び傾斜面が、スライドトレイ２８，２９より排出向き１０５の下流側となり、一対の側板８４のうち下側部分（排出向き１０５の上流端側）がスライドトレイ２８，２９の下側に位置する。
【００９８】
さらに、第２姿勢の第２排出トレイ７２において、サブトレイ７９が第２回動位置に回動され、拡張トレイ８７がサブトレイ７９から引き出されると、拡張トレイ８７の排出向き１０５の下流端は、スライドトレイ２８，２９よりも上側に位置する。
【００９９】
Ａ３サイズのシートは、記録部２１において画像記録がされて第１排出トレイ２４上へ排出される。トレイ本体２７からスライドトレイ２８，２９が引き出された第１排出トレイ２４の前後方向１０３に沿った長さは、Ａ４サイズの短辺より若干長い程度なので、Ａ３サイズのシートの排出向き１０５の先端側は、第１排出トレイ２４を通過する。
【０１００】
第１排出トレイ２４を通過したシートの先端は、第２排出トレイ７２のトレイ本体７８に到達する。トレイ本体７８の排出向き１０５の上流端側はスライドトレイ２８，２９の下側に位置しているので、シートの先端は、第１排出トレイ２４からトレイ本体７８へ円滑に移動する。
【０１０１】
また、トレイ本体７８においては、一対の側板８４の上面より中板８５の上面が凹んでいるので、シートの先端は、これらの上面の形状に沿って、中央側が低く両端側が高くなるように湾曲しながらトレイ本体７８の上面を移動する。
【０１０２】
そして、シートの先端は、トレイ本体７８からサブトレイ７９、拡張トレイ８７へ順次移動する。第１排出トレイ２４の排出向き１０５の上流端から第２排出トレイ３２の拡張トレイ８７の排出向き１０５の下流端までの長さは、Ａ３サイズの長辺よりも長いので、Ａ３サイズのシートは、第１排出トレイ２４及び第２排出トレイ３２の双方に支持された状態となる。また、拡張トレイ８７の排出向き１０５の下流端側が上流端側より更に斜め上方へ向かっているので、拡張トレイ８７の下流端側が、シートの脱落を防止するストッパとしても機能する。
【０１０３】
前述された第２実施形態によっても、第１実施形態と同様の作用効果が奏される。また、第２排出トレイ７２が、カバー７３に連結されているので、第２排出トレイ７２を第２姿勢としても、本体７１の開口をカバー７３により閉塞した状態に維持できる。
【０１０４】
［第３実施形態］
以下、本発明の第３実施形態が説明される。第３実施形態は、第１実施形態の第２排出トレイ３２の構成が異なるのみであり、その他の構成は第１実施形態と同様なので、ここでは、第１実施形態と異なる構成が詳細に説明される。
【０１０５】
図１９に示されるように、第１給紙カセット１１０は、シートを収容可能な本体１１１と、本体１１１に設けられた第２排出トレイ１１２と、を有する。
【０１０６】
本体１１１は、第１実施形態の本体３１と同様に、基部１１３、第１スライド部１１４及び第２スライド部１１５を有しており、上方から見て概ねＡ４サイズの大きさと、概ねＡ３サイズの大きさとに対応するようにスライドして変形可能な長方形薄皿状の樹脂製部品である。これらの詳細な構造の説明は省略される。本体１１１は、上側が開口した箱形状である。
【０１０７】
図２１，２２に示されるように、第２排出トレイ１１２は、シートを支持するためのトレイ本体１１７と、トレイ本体１１７に設けられたガイド板１１８及びストッパ１１９と、一対のリンク部材１２０と、一対のリンク部材１２０を連結する連結部材１２１と、を有する。トレイ本体１１７、ガイド板１１８及びストッパ１１９が第２支持部に相当する。ストッパ１１９が、回動部材に相当する。
【０１０８】
トレイ本体１１７は、第１姿勢において、本体１１１の傾斜板１２２側が低く、正面壁１１６側が高い、前後方向１０３に沿って２段形状をなしており、低い側と高い側とが傾斜面によって連続する形状である。また、トレイ本体１１７において、低い側の左右方向１０２の中央部分は切り欠かれている。
【０１０９】
ガイド板１１８は、第１姿勢のトレイ本体１１７における前後方向１０３の前端部分に左右方向１０２に離されて一対が回動自在に設けられている。ガイド板１１８は、平板形状である。トレイ本体１１７の下面には、ガイド板１１８を収容可能な凹部１２３が設けられている。ガイド板１１８は、第１姿勢のトレイ本体１１７において凹部１２３に収容され、第２姿勢のトレイ本体１１７においてトレイ本体１１７から前後方向１０３の後側へ向かって斜め下方へ突出する姿勢に回動される。
【０１１０】
ストッパ１１９は、第１姿勢のトレイ本体１１７における前後方向１０３の後端部分に回動自在に設けられている。トレイ本体１１７の後端部分の中央部分は切り欠かれているので、ストッパ１１９は、トレイ本体１１７に対して左右方向１０２の中央からオフセットした配置である。ストッパ１１９は、左右のいずれにオフセットされていてもよい。ストッパ１１９は、平板が前後方向１０３において曲折された形状である。ストッパ１１９は、第１姿勢のトレイ本体１１７においてトレイ本体１１７の下面側に収容される第１回動位置（図１９，２１参照）に回動される。第１回動位置において、ストッパ１１９の回動先端側は、トレイ本体１１７に形成された貫通孔１２４に挿通されて、トレイ本体１１７の上面から上側へ突出する。また、ストッパ１１９は、第２姿勢のトレイ本体１１７においてトレイ本体１１７から前後方向１０３の前側へ突出する第２回動位置（図２２，２４参照）に回動される。第２回動位置において、ストッパ１１９の回動先端は、回答基端側よりも更に斜め上方へ突出する。
【０１１１】
一対のリンク部材１２０は、トレイ本体１１７の両側において、回動自在に連結されている。各リンク部材１２０は、左右方向１０２に離されて配置されている。各リンク部材１２０は、それぞれがアーム形状の長尺部材である。各リンク部材１２０の両端には、軸１２５，１２６が設けられている。一方の軸１２５がトレイ本体１１７に回動自在に連結されており、他方の軸１２６が本体１１１の側壁に回動自在に連結されている。一対のリンク部材１２０は、アーム形状の中央部分において左右方向１０２に沿って延びる連結部材１２１により連結されている。第１姿勢のトレイ本体１１７における前後方向１０３の前端部分の上面に凹部１２７が形成されており、凹部１２７に連結部材１２１が納まる。
【０１１２】
図１９，２４に示されるように、第２排出トレイ１１２は、一対のリンク部材１２０の回動と、リンク部材１２０に対する回動とによって、本体１１１の開口の一部を封止する第１姿勢と、本体１１１の開口から離れて第１姿勢よりも上側に位置する第２姿勢と、に姿勢変化する。第２排出トレイ１１２のトレイ本体１１７が、本体１１１の側壁に支持されることによって、第２排出トレイ１１２が第１姿勢に保持される。図２３に示されるように、一対のリンク部材１２０が本体１１１の正面壁１１６の上端部に当接するまで回動されることにより、第２排出トレイ１１２が本体１１１の開口を開放する姿勢となる。そして、その姿勢からトレイ本体１１７が一対のリンク部材１２０に対して前後を反転するように回動されることにより、トレイ本体１１２が第２姿勢に保持される。正面壁１１６の上端部が、当接部に相当する。
【０１１３】
第１実施形態と同様に、Ａ３サイズのシートに画像記録を行う場合には、図２５，２６に示されるように、第１排出トレイ２４においてスライドトレイ２８，２９が引き出される。なお、ストッパ３０は収容位置とされる。また、第１給紙カセット１１０の本体１１１において、基部１１３に対して第１スライド部１１４及び第２スライド部１１５が引き出されて、本体１１１の前後方向１０３に沿った長さがＡ３サイズの長辺の長さに対応される。これにより、本体１１１にＡ３サイズのシートが収容可能となる。また、第１給紙カセット１１０の第２スライド部１１５側が、プリンタ部１１の内部空間から外側へ引き出される。第２スライド部１１５のスライドに伴って、第２排出トレイ１１２もプリンタ部１１の内部空間から外側へ引き出される。これにより、第２排出トレイ１１２の上側に第２給紙カセット１６などが存在しなくなり、第２排出トレイ１１２が上側へ回動可能となる。つまり、第２排出トレイ１１２を第１姿勢から第２姿勢へ回動可能となる。
【０１１４】
第２排出トレイ１１２が第２姿勢にされ、ガイド板１１８がトレイ本体１１７から突出するように回動されると、ガイド板１１８の一部が、第１排出トレイ２４のスライドトレイ２８，２９よりも排出向き１０５の下流側に位置する。また、第２姿勢のトレイ本体１１７の排出向き１０５の下流端は、スライドトレイ２８，２９よりも上側に位置する。さらに、第２姿勢の第２排出トレイ１１２において、ストッパ１１９が第２回動位置に回動される。
【０１１５】
Ａ３サイズのシートは、記録部２１において画像記録がされて第１排出トレイ２４上へ排出される。トレイ本体２７からスライドトレイ２８，２９が引き出された第１排出トレイ２４の前後方向１０３に沿った長さは、Ａ４サイズの短辺より若干長い程度なので、Ａ３サイズのシートの排出向き１０５の先端側は、第１排出トレイ２４を通過する。
【０１１６】
第１排出トレイ２４を通過したシートの先端は、第２排出トレイ１１２のトレイ本体１１７に到達する。第２姿勢におけるトレイ本体１１７の排出向き１０５の上流端側においては、ガイド板１１８がスライドトレイ２８，２９の下側へ突出しているので、シートの先端は、第１排出トレイ２４からトレイ本体１１７へ円滑に移動する。
【０１１７】
また、第２姿勢のトレイ本体１１７においては、排出向き１０５の上流端側の中央部分が切り欠かれているので、シートの先端は、この形状に沿って、中央側が低く両端側が高くなるように湾曲しながらトレイ本体１１７の上面を移動する。
【０１１８】
そして、シートの先端は、トレイ本体１１７からストッパ１１９へ順次移動する。第１排出トレイ２４の排出向き１０５の上流端から第２排出トレイ１１２のストッパ１１９の排出向き１０５の下流端までの長さは、Ａ３サイズの長辺よりも長いので、Ａ３サイズのシートは、第１排出トレイ２４及び第２排出トレイ１１２の双方に支持された状態となる。
【０１１９】
前述された第３実施形態によっても、第１実施形態と同様の作用効果が奏される。
【０１２０】
［その他の変形例］
前述された各実施形態においては、プリンタ部１１に第１給紙カセット１５，７０，１１０と、第２給紙カセット１６の二つの給紙カセットが設けられているが、第２給紙カセット１６は、必ずしもプリンタ部１１に設けられていなくてもよい。例えば、図２７に示されるように、第１排出トレイ２４がプリンタ部１１の内部空間に独立して設けられており、給紙カセットとして、第１給紙カセット１５のみが設けられていてもよい。このような実施形態において、第１給紙カセット１５に設けられた第２排出トレイ３２が第１姿勢と第２姿勢とに姿勢変化されることによって、第１実施形態と同様の作用効果が奏される。
【０１２１】
また、前述された各実施形態においては、第２排出トレイ３２，７２，１１２は、第１給紙カセット１５，７０，１１０の各本体２５，１１１又はカバー７３に対して回動することによって第１姿勢と第２姿勢とに姿勢変化する構成であるが、第１姿勢と第２姿勢との姿勢変化は回動以外の動作によって実現されてもよい。例えば、第１実施形態において、第２排出トレイ３２が、本体２５から斜め上方へ突出するようにスライド可能に設けられており、第２排出トレイ３２が本体２５から引き出されることによって、第１姿勢から第２姿勢へ姿勢変化する構成により、本発明が実現されてもよい。
【符号の説明】
【０１２２】
１１・・・プリンタ部（画像記録装置）
１５，７０，１１０・・・第１給紙カセット（収容部）
１６・・・第２給紙カセット（上側収容部）
１７・・・第１給紙ローラ（供給機構）
２１・・・記録部
２４・・・第１排出トレイ
２５，７１，１１１・・・本体
３２，７２，１１２・・・第２排出トレイ
３３，７４，１１３・・・基部
３４，７５，１１４・・・第１スライド部
３５，７６，１１５・・・第２スライド部
５０，７９・・・サブトレイ（回動部材）
５１，５２，８０，８１，１２０・・・リンク部材
５３，５４，８２，８３，１２１・・・連結部材
４７，７７，１１６・・・正面壁（当接部）
７３・・・カバー
１１９・・・ストッパ（回動部材）
【図１】
0005831293.tif 000002
【図２】
0005831293.tif 000003
【図３】
0005831293.tif 000004
【図４】
0005831293.tif 000005
【図５】
0005831293.tif 000006
【図６】
0005831293.tif 000007
【図７】
0005831293.tif 000008
【図８】
0005831293.tif 000009
【図９】
0005831293.tif 000010
【図１０】
0005831293.tif 000011
【図１１】
0005831293.tif 000012
【図１２】
0005831293.tif 000013
【図１３】
0005831293.tif 000014
【図１４】
0005831293.tif 000015
【図１５】
0005831293.tif 000016
【図１６】
0005831293.tif 000017
【図１７】
0005831293.tif 000018
【図１８】
0005831293.tif 000019
【図１９】
0005831293.tif 000020
【図２０】
0005831293.tif 000021
【図２１】
0005831293.tif 000022
【図２２】
0005831293.tif 000023
【図２３】
0005831293.tif 000024
【図２４】
0005831293.tif 000025
【図２５】
0005831293.tif 000026
【図２６】
0005831293.tif 000027
【図２７】
0005831293.tif 000028